(57)【要約】      （修正有）【課題】フィルムシートの表面にループ状の掻取部を形成することにより、エナメルやラメを容易に除去可能とするとともに、製造容易で廉価であり、安全で経済的な使用が可能なネールエナメル除去用シートを得る。【解決手段】非透水性のフィルムシート１の表面に、疎水性の繊維素材２をループ状に立ち上げて両端部３を固定することにより掻取部６を形成する。掻取部６をフィルムシート１の表面に前後左右方向に複数個配置する。【選択図】図１
2009254681.tif 000002
【特許請求の範囲】
【請求項１】
非透水性のフィルムシートの表面に、疎水性の繊維素材をループ状に立ち上げて両端部を固定することにより掻取部を形成し、この掻取部をフィルムシートの表面に前後左右方向に複数個配置したことを特徴とするネールエナメル除去用シート。
【請求項２】
フィルムシートは、ポリプロピレンシートにより形成したことを特徴とする請求項１のネールエナメル除去用シート。
【請求項３】
繊維素材は、ポリプロピレン繊維により形成したことを特徴とする請求項１のネールエナメル除去用シート。
【請求項４】
掻取部の両端は、フィルムシートに溶着したことを特徴とする請求項１のネールエナメル除去用シート。
【請求項５】
繊維素材は、太さ４デシテックス〜６デシテックスにて形成したことを特徴とする請求項１又は３のネールエナメル除去用シート。
【請求項６】
掻取部は、フィルムシートからの高さ０．１ｍｍ〜０．４ｍｍ、幅０．５ｍｍ〜５ｍｍにて形成したことを特徴とする請求項１又は４のネールエナメル除去用シート。  
【発明の詳細な説明】
【技術分野】
【０００１】
本発明は、爪に塗布されたエナメルやラメを取り除くためのネールエナメル除去用シートに関するものである。
【背景技術】
【０００２】
従来、爪に塗布する装飾としてエナメルや、このエナメルに微小な光沢用のラメを含ませたものが広く使用されており、このエナメルやラメを爪の表面から取り除くためのものとして、特許文献１、２に示す如きネールエナメル除去用シートが公知となっている。
【０００３】
【特許文献１】特開２００２−２６２９３１号公報
【特許文献２】特開２００５−２４５７１４号公報
【０００４】
特許文献１に記載のシートは、非透水性のフィルムシートの表面に化粧用コットンを配置し、この化粧用コットンの表面を、複数の貫通孔を設けた表面シートにより被覆している。そして、リムーバー液を上記化粧用コットンに浸透させた状態で表面シートを爪の表面に擦り合わせることにより、爪に付いたエナメルを除去可能としている。また、このように表面シートを爪の表面に擦り合わせる際に、爪に付着したラメを上記貫通穴を介して表面シートの内側に取り込むことにより、ラメを除去可能にしようとしている。また、この従来技術に於いては、前述の如くフィルムシートを非透水性としているため、リムーバー液がフィルムシートの裏面から滲み出て使用者の手指を汚染するのを防止することができる。
【０００５】
また、特許文献２に記載のシートは、親水性繊維素材、疎水性繊維素材及び熱接着性繊維素材を混合したシートの表面に凹凸を設けて形成している。そして、上記親水性繊維素材にリムーバー液を浸透させた状態で、シートを爪の表面に擦り合わせることにより、爪に付いたエナメルを除去可能としている。また、このようにシートを爪の表面に擦り合わせる際に、上述の如くシートの表面に設けた凹部内に爪に付着したラメを取り込むことにより、ラメを除去可能にしようとしている。
【発明の開示】
【発明が解決しようとする課題】
【０００６】
しかしながら、特許文献１、２に記載のシートは、爪の表面に付着したラメをシートに設けた貫通穴や凹部に取り込むことにより除去しようとするものであるため、ラメを除去する際、爪にシートを強く擦り当てて貫通穴や凹部にラメを取り込む必要があり、使用者の作業負担が大きなものとなる。また、特許文献１に於いて、小さな直径の貫通穴にラメを取り込むのは容易ではない。また、特許文献２の凹部に於いてはラメの取り込みが確実ではなく、取り込んだラメを再放出してしまう可能性が高いものである。
【０００７】
また、特許文献１に記載のシートは、非透水性のフィルムシート、化粧用コットン及び表面シートを重ね合わせてこれらを一体に形成する必要があるし、特許文献２に記載のシートは、親水性繊維素材、疎水性繊維素材及び熱接着性繊維素材を混合してシートを形成し、このシートに凹凸を設ける必要がある。このように特許文献１、２に記載のシートはいずれも構成素材数が多く、製造工程が複雑なものとなっていた。
【０００８】
また、特許文献１に記載のシートに於いては化粧用コットンが、特許文献２に記載のシートに於いては親水性繊維素材が、それぞれリムーバー液を吸収してしまうため、一度のエナメル除去作業につきリムーバー液が多量に必要となり、非経済的であった。
【０００９】
また、特許文献２に記載のシートは防水手段を設けていないため、親水性繊維素材が吸収したリムーバー液がシートの裏面から滲み出て、使用者の手指を汚染するおそれがあった。
【００１０】
そこで、本発明は上述の如き課題を解決しようとするものであって、爪に付いたエナメルやラメを容易に除去可能とするとともに、リムーバー液の使用量を少なくし、製造容易であり、安全で経済的な使用が可能なネールエナメル除去用シートを得ようとするものである。
【課題を解決するための手段】
【００１１】
本発明は、前述の如き従来技術の課題を解決するため、非透水性のフィルムシートの表面に、疎水性の繊維素材をループ状に立ち上げて両端部を固定することにより掻取部を形成し、この掻取部をフィルムシートの表面に前後左右方向に複数個配置している。そして、上記掻取部にエナメルリムーバーを付着させて爪の表面に押圧接触して摺り合わせることにより、ネールエナメルを除去可能としている。
【００１２】
また、フィルムシートは、ポリプロピレンシートにより形成したものであっても良いし、繊維素材は、ポリプロピレン繊維により形成したものであっても良い。このようにポリプロピレンにより形成することにより、フィルムシートや繊維素材を耐溶剤性の高いものとすることが可能となる。
【００１３】
また、掻取部の両端は、フィルムシートに溶着したものであっても良いし、耐溶剤性のある接着剤にて接着したものであっても良い。このように掻取部とフィルムシートを溶着又は接着により固定することにより、掻取部のフィルムシートに対する固定強度を高めることが可能となり、使用時の摩擦による毛羽立ちやヨレを防止することが可能となる。
【００１４】
また、繊維素材は、太さ４デシテックス〜６デシテックスにて形成するのが好ましい。繊維素材の太さが４デシテックスより細いと、掻取部の強度が弱くなり、ラメを十分に掻き取ることができないおそれがある。一方で、繊維素材の太さが６デシテックスより太いと、繊維素材がラメの表面をすべってしまい、ラメを十分に掻き取ることができないおそれがある。
【００１５】
また、掻取部は、フィルムシートからの高さ０．１ｍｍ〜０．４ｍｍ、幅０．５ｍｍ〜５ｍｍにて形成するのが好ましい。掻き取り部のフィルムシートからの高さを０．１ｍｍより低いものとすると、掻取部の容積が小さくなり、リムーバー液を十分に取り込めないないおそれがある。また、０．４ｍｍより高いものとすると、掻取部が寝てしまいリムーバー液を十分に取り込めないおそれがある。また、掻取部の幅を０．５ｍｍよりも狭いものとすると、掻取部の容積が小さくなり、リムーバー液を十分に取り込めないないおそれがある。また、５ｍｍよりも広いものとすると、掻取部が寝てしまい、リムーバー液を十分に取り込めないないおそれがある。
【発明の効果】
【００１６】
本発明は上述の如く、フィルムシートの表面にループ状の掻取部を形成しているため、エナメルリムーバーを付着したフィルムシートを爪の表面に擦り合わせることにより、爪の表面に付着したエナメルやラメを上記掻取部に絡めて掻き取ることが可能となる。そのため、フィルムシートを爪に強く押しつける必要もなく、エナメルやラメを容易に爪の表面から除去することができ、使用者の作業負担を軽減することが可能となる。また、除去されたエナメルやラメはループ状の繊維素材にて形成した掻取部の間に保持されるから、爪への再付着を少なくし、効率的な除去作業を可能とする。
【００１７】
また、上述の如くフィルムシートを非透水性とし、フィルムシートがリムーバー液を吸収することがないとともに、リムーバー液は疎水性繊維で形成したループ状の掻取部間に表面張力によって保持され、掻取部にも吸収されることがないため、シートに塗布したリムーバー液がシートの表面上に保持されるものとなる。そのため、少量のリムーバー液を爪の表面に接触させて除去作業の終了するまで繰返し使用し、確実に爪に付着したエナメルやラメを除去することが可能となり、リムーバー液の経済的な使用が可能となる。
【００１８】
また、フィルムシートに繊維素材の両端部を固定してネールエナメル除去シートを形成しているため、構成部材数を少なくすることが可能となるとともに、製造工程も簡易なものとすることができ、製品自体を廉価なものとすることが可能となる。
【００１９】
また、上述の如くフィルムシートを非透水性としており、フィルムシートの表面に塗布したリムーバー液が裏面側から滲み出ることがないため、リムーバー液により使用者の手指を汚染するのを防止することができる。
【実施例１】
【００２０】
以下、本発明の実施例１を図１〜図３に於いて説明すれば、(１)はフィルムシートで、厚さ１０μｍ〜１００μｍの肉薄な非透水性のポリプロピレンシートにより形成している。このように、フィルムシート（１）をポリプロピレンシートにより形成すれば、フィルムシート（１）の耐溶剤性を高めることが可能となる。
【００２１】
また、このフィルムシート（１）の表面には、疎水性の繊維素材（２）、例えばポリプロピレン繊維をループ状に立ち上げるとともに、このループ部分の両端部（３）をフィルムシート（１）に溶着固定することにより、エナメル（４）やラメ（５）を掻き取るための掻取部（６）を形成し、この掻取部（６）を図１に示す如く前後左右方向に複数個配置している。なお、本実施例に於いては、図１、２に示す如く掻取部（６）を前後方向に一定間隔を介して平行に配置しているが、掻取部（６）は必ずしも平行に配置する必要はなく、前後左右方向に配置するものであれば、互いに絡み合ったり、捻れたりするものであっても良い。
【００２２】
また、上述の如く掻取部（６）を形成する繊維素材（２）を疎水性としているため、フィルムシート（１）の表面に塗布したリムーバー液が上記繊維素材（２）に吸収されるのを防止することが可能となる。また、本実施例に於いては、上記繊維素材（２）を上述の如くポリプロピレン繊維にて形成することにより、繊維素材（２）の耐溶剤性を高めるとともに、ポリプロピレン製のフィルムシート（１）との溶着固定を容易としている。また、上述の如く繊維素材（２）とフィルムシート（１）を溶着固定することにより、繊維素材（２）のフィルムシート（１）に対する固定強度を高めることが可能となり、使用時の摩擦による毛羽立ちやヨレを防止することが可能となる。
【００２３】
また、本発明の於いては上述の如く、フィルムシート（１）に繊維素材（２）のループ部分の両端部（３）を固定してネールエナメル除去用シートを形成しているため、構成部材数を少なくすることが可能となるとともに、製造工程も簡易なものとすることができる。
【００２４】
また、繊維素材（２）は、太さ４デシテックス〜６デシテックスにて形成するのが好ましい。繊維素材（２）の太さが４デシテックスより細いと、掻取部（６）の強度が弱くなり、ラメ（５）を十分に掻き取ることができないおそれがある。一方で、繊維素材（２）の太さが６デシテックスより太いと、繊維素材（２）がラメ（５）の表面をすべってしまい、ラメ（５）を十分に掻き取ることができないおそれがある。
【００２５】
また、掻取部（６）は、フィルムシート（１）からの高さ０．１ｍｍ〜０．４ｍｍ、幅０．５ｍｍ〜５ｍｍにて形成するのが好ましい。掻取部（６）のフィルムシート（１）からの高さを０．１ｍｍより低いものとすると、掻取部（６）の容積が小さくなり、リムーバー液を十分に取り込めないないおそれがある。また、０．４ｍｍより高いものとすると、掻取部（６）が寝てしまいリムーバー液を十分に取り込めないおそれがある。また、掻取部（６）の幅を０．５ｍｍよりも狭いものとすると、掻取部の容積が小さくなり、リムーバー液を十分に取り込めないないおそれがある。また、５ｍｍよりも広いものとすると、掻取部（６）が寝てしまい、リムーバー液を十分に取り込めないないおそれがある。
【００２６】
上記の如く構成したものであるから、爪に付着したエナメル（４）やラメ（５）を除去するには、フィルムシート（１）の掻取部（６）を形成した面にリムーバー液を塗布し、このフィルムシート（１）の掻取部（６）側の面を、図３に示す如く爪の表面に押圧接触して擦り合わせる。この擦り合わせにより、フィルムシート（１）の表面に形成したループ状の掻取部（６）が、爪の表面に付着したエナメル（４）やラメ（５）を、図２に示す如く掻取部（６）に絡めて掻き取ることが可能となる。そのため、フィルムシート（１）を爪に強く押しつける必要もなく、エナメル（４）やラメ（５）を容易に爪の表面から除去することができ、使用者の作業負担を軽減することが可能となる。また、除去されたエナメル（４）やラメ（５）はループ状の繊維素材（２）にて形成した掻取部（６）の間に保持されるから、爪への再付着を少なくし、効率的な除去作業を可能とする。
【００２７】
また、前述の如くフィルムシート（１）を非透水性としているため、リムーバー液が、フィルムシート（１）に吸収されることなく、疎水性繊維素材で形成したループ状の掻取部（６）間に表面張力によって保持され、掻取部（６）にも吸収されることがない。そのため、少量のリムーバー液を爪の表面に接触させて除去作業の終了するまで繰返し使用し、確実に爪に付着したエナメル（４）やラメ（５）を除去することが可能となり、リムーバー液の経済的な使用が可能となる。
【００２８】
また、上述の如くフィルムシート（１）を非透水性としており、フィルムシート（１）の表面に塗布したリムーバー液が裏面側から滲み出ることがないため、リムーバー液により使用者の手指を汚染するのを防止することができる。
【図面の簡単な説明】
【００２９】
【図１】エナメル除去用シートの斜視図。
【図２】図１の部分拡大図。
【図３】エナメル除去用シートの使用状態を示す斜視図。
【符号の説明】
【００３０】
１  フィルムシート  
２  繊維素材  
３  両端部  
６  掻取部
【図１】
2009254681.tif 000003
【図２】
2009254681.tif 000004
【図３】
2009254681.tif 000005